(57)【要約】【課題】  使用者に手間を強いることなく使用者と病院（医者）との間で薬の授受を行える服薬用管理装置を提供する。【解決手段】  服薬用管理装置は、薬包ケース１と、薬包ケース１を着脱可能に収納する本体装置２とを備える。薬包ケース１は、薬包を入れるブロック１２（ａ〜ｇ）と、各ブロック１２の両壁１３に設けられ、ブロック１２内の薬包を挟んで互いに対面する位置に形成された開口１５と、開閉可能なカバー１０とを備える。本体装置２は、各ブロック１２の対向壁１３の開口１５に対応して配置され、各ブロック１２に収納される薬包が一対の開口１５間を遮断することによって薬包を検知するセンサ部Ｓ１〜Ｓ７（薬包センサ）と、薬包ケース１の本体装置２への着脱を検知するスイッチレバー３５及びマイクロスイッチ３６（薬包ケースセンサ）とを備える。【選択図】      図８
2006230850.tif 000002
【特許請求の範囲】
【請求項１】
使用者が服用する薬剤を入れた薬包を収納する薬包ケースと、この薬包ケースを着脱可能に収納する本体装置とを備えることを特徴とする服薬用管理装置。
【請求項２】
薬包ケースと、この薬包ケースを着脱可能に収納し、服薬指示時間を含む服薬関連情報を管理し服薬指示時間の到来で服薬を指示報知する本体装置とを備える服薬用管理装置であって、
前記薬包ケースは、
使用者が服用する薬剤を入れた薬包をそれぞれ収納するものであって、各々が壁で仕切られて並設された複数のブロックと、
前記複数のブロックを覆い、薬包の収納・取り出しを可能とする開閉可能なカバーとを備え、
前記本体装置は、
各ブロック内の薬包を検知する薬包センサと、
前記薬包ケースの当該本体装置への着脱を検知する薬包ケースセンサとを備えることを特徴とする服薬用管理装置。
【請求項３】
前記各ブロックの対向壁に設けられ、当該ブロックに収納される薬包を挟んで互いに対面する位置に形成された開口を備え、前記薬包センサは、前記各ブロックの対向壁の前記開口に対応して配置され、当該ブロックに収納される薬包が一対の開口間を遮断することによって薬包を検知することを特徴とする請求項２記載の服薬用管理装置。
【請求項４】
前記薬包ケースのカバーの開閉を検知するカバー開閉センサを備えることを特徴とする請求項２又は請求項３記載の服薬用管理装置。
【請求項５】
前記服薬関連情報を記憶する情報記憶手段と、前記服薬指示時間の到来でその旨を報知する報知手段とを備えることを特徴とする請求項２、請求項３又は請求項４記載の服薬用管理装置。
【請求項６】
前記情報記憶手段は、外部より前記本体装置に装着される記憶媒体であり、この記憶媒体を装着するための記憶媒体装着部を備えることを特徴とする請求項５記載の服薬用管理装置。
【請求項７】
前記服薬指示時間、及び前記薬包センサ、薬包ケースセンサ、カバー開閉センサの検出信号に基づき、前記服薬関連情報を前記記憶媒体に記憶させる服薬状況管理手段を備えることを特徴とする請求項６記載の服薬用管理装置。
【請求項８】
前記薬包ケースの各ブロックは、それぞれ前記本体装置の奥行き方向に直交する姿勢で、その奥行き方向に配列されていることを特徴とする請求項２、請求項３、請求項４、請求項５、請求項６又は請求項７記載の服薬用管理装置。
【請求項９】
前記薬包ケースの各ブロックの対向壁に、当該壁の上端縁より下方に延びる切欠き部を設けたことを特徴とする請求項２、請求項３、請求項４、請求項５、請求項６、請求項７又は請求項８記載の服薬用管理装置。
【発明の詳細な説明】
【技術分野】
【０００１】
本発明は、薬剤を入れた薬包を収納する薬包ケースを着脱可能に収納するとともに、服薬指示時間を含む服薬関連情報を管理し服薬指示時間の到来で服薬を指示報知する本体装置を備える服薬用管理装置に関する。
【背景技術】
【０００２】
従来、服用する薬を収納する複数の室（ブロック）を有する薬収納部を備え、服薬時間が到来すると、その旨を音声や表示で報知する装置がある。
【０００３】
例えば、薬剤を収納する複数の蓋付き小室と、服用すべき薬が収納されている小室を指示する服薬指示用ＬＥＤと、現在時刻や服薬状況を表示するディスプレイとを備える服薬管理ケースがある（例えば、特許文献１参照）。
【０００４】
また、病院側装置と在宅患者側装置とで投薬システムを構成し、在宅患者側装置が、薬剤毎に分割して保管する手段、どの薬を取り出すかを表示する手段及び薬の出入を検出する手段を有する薬ボックスと、投薬管理データを受信記憶し、指定された時間等を知らせる患者端末制御器と、患者に表示出力する表示部とを備えるものがある（例えば、特許文献２参照）。
【０００５】
また、複数の収納室を有するドーナツ状の容器本体と、容器本体の中央空所に組み込むコントロール体と、容器本体の底部に取り付けられる底蓋とを備える薬用集合容器がある（例えば、特許文献３参照）。
【０００６】
更に、複数の室を有する容器本体と、容器本体に被嵌される上蓋と、容器本体の底部に取り付けられる下蓋とを備える薬容器がある（例えば、特許文献４参照）。
【特許文献１】特開２００４−１８１１３７号公報（〔００３４〕〜〔００３８〕、図１、図２）
【特許文献２】特開平１０−２０１８２７号公報
【特許文献３】特開２００２−２９１８４０号公報
【特許文献４】特開２００２−３６２６５２号公報
【発明の開示】
【発明が解決しようとする課題】
【０００７】
しかしながら、上記特許文献１〜４に記載されたものは、いずれも薬収納部と管理機能部とが一体的であるため、医者等の指示で使用者に薬を手渡す場合、使用者は薬収納部を含む装置全体を病院まで持参し、薬収納部に処方薬を入れてもらう必要がある。
【０００８】
すなわち、使用者にとっては、薬が出される度に相当の重さと嵩高の装置を持って行き、病院で薬収納部に処方薬を入れてもらってから持ち帰るという煩瑣な用事を強いられる。その上、装置を持ち運ぶ間に、装置が振動や衝撃を受ける可能性があり、装置の安定動作からも好ましくない。
【０００９】
従って、本発明は、そのような問題点に着目してなされたもので、使用者に手間を強いることなく使用者と病院（医者）との間で薬の授受を行える服薬用管理装置を提供することを目的とする。
【課題を解決するための手段】
【００１０】
前記目的を達成するために、本発明の服薬用管理装置は、使用者が服用する薬剤を入れた薬包を収納する薬包ケースと、この薬包ケースを着脱可能に収納する本体装置とを備えることを特徴とする。
【００１１】
この服薬用管理装置は、薬包ケースが本体装置に対して着脱可能となるように構成されている。
【００１２】
また、本発明の服薬用管理装置は、より具体的な構成として、薬包ケースと、この薬包ケースを着脱可能に収納し、服薬指示時間を含む服薬関連情報を管理し服薬指示時間の到来で服薬を指示報知する本体装置とを備える服薬用管理装置であって、薬包ケースは、使用者が服用する薬剤を入れた薬包をそれぞれ収納するものであって、各々が壁で仕切られて並設された複数のブロックと、複数のブロックを覆い、薬包の収納・取り出しを可能とする開閉可能なカバーとを備え、本体装置は、各ブロック内の薬包を検知する薬包センサと、薬包ケースの当該本体装置への着脱を検知する薬包ケースセンサとを備えることを特徴とする。
【００１３】
この服薬用管理装置では、薬包ケースが本体装置に対して着脱可能であり、本体装置が薬包ケースセンサにより薬包ケースの着脱を検知するように構成されている。
【００１４】
この服薬用管理装置において、各ブロックの対向壁に設けられ、当該ブロックに収納される薬包を挟んで互いに対面する位置に形成された開口を備え、薬包センサは、各ブロックの対向壁の開口に対応して配置され、当該ブロックに収納される薬包が一対の開口間を遮断することによって薬包を検知することが好ましい。
【００１５】
また、薬包ケースのカバーの開閉を検知するカバー開閉センサを備えることが好ましい。
【００１６】
また、服薬関連情報を記憶する情報記憶手段と、服薬指示時間の到来でその旨を報知する報知手段とを備えることが好ましい。
【００１７】
この場合、情報記憶手段は、外部より本体装置に装着される記憶媒体であり、この記憶媒体を装着するための記憶媒体装着部を備えることが好適である。
【００１８】
更に、服薬指示時間、及び薬包センサ、薬包ケースセンサ、カバー開閉センサの検出信号に基づき、服薬関連情報を記憶媒体に記憶させる服薬状況管理手段を備えることが好ましい。
【００１９】
一方、薬包ケースの各ブロックは、それぞれ本体装置の奥行き方向に直交する姿勢で、その奥行き方向に配列されていることが好ましい。
【００２０】
また、薬包ケースの各ブロックの対向壁に、当該壁の上端縁より下方に延びる切欠き部を設けるのが好ましい。
【００２１】
なお、本発明において、薬包に入れる薬剤は、散剤、錠剤、又はその両方を包含する。
【発明の効果】
【００２２】
本発明によれば、次の効果が得られる。
（１）医者等の指示で使用者に薬を手渡す場合、使用者は本体装置から取り外した薬包ケースだけを病院まで持参すればよく、使用者に煩瑣な手間を強いることなく使用者と病院（医者）との間で薬の授受を行うことができる。
（２）薬包センサや薬包ケースセンサ等の管理機能部を備える本体装置は持ち運ぶ必要がないので、装置の安定動作が保証される。
（３）請求項３記載の発明によれば、各ブロック内の薬包を簡単な構成で検知することができる。
（４）請求項４記載の発明によれば、薬包ケースのカバーを使用者のみならず誰かが開けたかどうかを簡単に管理できる。
（５）請求項５記載の発明によれば、使用者が服薬指示時間を簡単に知ることができ、指示時間に服薬を忘れてしまうことがなくなる。
（６）請求項６記載の発明によれば、服薬指示時間等の服薬関連情報を容易に管理でき、そのためのコストも安い。
（７）請求項７記載の発明によれば、指示時間に服薬したかどうか、薬包ケースを本体装置から取り外したかどうか、薬包ケースのカバーを開けたかどうか、などの服薬関連情報を容易に管理できる。
（８）請求項８記載の発明によれば、薬包ケースの各ブロックに収納した薬包を視認し易く、また各ブロックに薬包を入れ易く、各ブロックから薬包を取り出し易い。
（９）請求項９記載の発明によれば、薬包ケースの各ブロックから薬包を取り出し易い。
【発明を実施するための最良の形態】
【００２３】
以下、本発明を実施形態に基づいて説明する。
【００２４】
その実施形態に係る服薬用管理装置の外観斜視図を図１に、その平面図（上面図）を図２に、正面図を図３に、右側面図を図４に、左側面図を図５に、背面図を図６に、底面図を図７に示す。
【００２５】
この服薬用管理装置は、薬包ケース１と、この薬包ケース１を着脱可能に収納し、服薬指示時間を含む服薬関連情報を管理し服薬指示時間の到来で服薬を指示報知する本体装置２とを備える。
【００２６】
薬包ケース１は、開閉可能なカバー１０と、このカバー１０の閉状態の固定・解除を行うためのスライドツマミ１１とを備える。
【００２７】
本体装置２は、時刻、服薬指示時間、服薬履歴等の情報を表示する表示部（ＬＣＤ）３と、電源のＯＮ／ＯＦＦ、時刻の設定、表示切替等を行うためのボタン４と、服薬指示時間を含む服薬関連情報を記憶する情報記憶手段としての例えばＳＤカード４５（記憶媒体、図２３参照）を装着するためのスロット（記憶媒体装着部）５とを備える。
【００２８】
また、本体装置２の上部には、薬包ケース１の当該本体装置２への収納状態を固定・解除するための一対のスライドツマミ６が設けられ、このスライドツマミ６のクリック位置では、薬包ケース１が本体装置２から簡単に外れないように固定できる。更に、本体装置２の上部には、薬包ケース１を本体装置２から取り出し易くするための一対の切欠き部７が形成されている。
【００２９】
一方、本体装置２の底部には、電池カバー８が着脱可能に取り付けられ、この電池カバー８を取り外すことで電源としての電池を容易に出入できる。但し、電源にＡＣを単独又は両用で用いてもよく、この場合はＡＣコードを接続する差込口を本体装置２の適所に設けておく。また、本体装置２の底部には、服薬指示時間の到来でその旨を報知する報知手段としてのスピーカ９が設けられている。
【００３０】
この服薬用管理装置において、薬包ケース１のカバー１０を開けた状態の外観斜視図を図８に、その平面図（上面図）を図９に示す。また、薬包ケース１の表側から見た外観斜視図を図１０に、裏側から見た外観斜視図を図１１に、平面図（上面図）を図１２の（ａ）に、図１２の（ａ）の矢視Ａから見た図（正面図）を図１２の（ｂ）に、図１２の（ａ）の矢視Ｂから見た図（背面図）を図１３の（ａ）に、図１２の（ａ）の矢視Ｃから見た図（左側面図）を図１３の（ｂ）に、底面図を図１４に、カバー１０を開けた状態の外観斜視図を図１５に、同状態の平面図（上面図）を図１６に、同状態の底面図を図１７に示す。
【００３１】
薬包ケース１は、カバー１０が軸部２０で開閉可能に連結され、使用者が服用する薬剤を入れた薬包（図示せず）をそれぞれ収納する複数（ここでは７つ）のブロック１２（ａ〜ｇ）を有する。各ブロック１２（ａ〜ｇ）は、図より明らかなように、それぞれ本体装置２の奥行き方向に直交する姿勢で、その奥行き方向に並設されているとともに、その直交方向に交互に位置をずらして配列されている。各ブロック１２（ａ〜ｇ）は、一対の対向壁１３（図８、図１５）で仕切られており、隣接するブロック同士を仕切る壁１３は両ブロックに共通する。
【００３２】
また、各ブロック１２（ａ〜ｇ）を形成する各壁１３の下部には、各ブロックに収納される薬包を挟んで互いに対面するように開口１５が形成されている。開口１５は、各ブロック１２（ａ〜ｇ）の底部に設けられた支持片１６にまで達している。なお、支持片１６は薬包ケース１の底面に連続している。更に、各ブロック１２（ａ〜ｇ）を形成する各壁１３の上部には、その上端縁より下方に延びる切欠き部１７が形成されている。この切欠き部１７により、各ブロック１２（ａ〜ｇ）から薬包を取り出し易くなる。
【００３３】
この他、薬包ケース１には、その外壁から突出する一対のツバ２１が設けられ、このツバ２１は、薬包ケース１を本体装置２に収納したときに、本体装置２の上部に設けられた一対のツバ受容部３２（図１８〜図２０）に位置する。ツバ２１がツバ受容部３２に嵌まった状態でスライドツマミ６をクリック位置まで移動させることで、ツバ２１がスライドツマミ６によりツバ受容部３２から抜けなくなり、薬包ケース１の本体装置２への収納状態が固定される。
【００３４】
一方、本体装置２の外観斜視図を図１８に、その平面図（上面図）を図１９及び図２０（図１９よりも簡略化した図）に、図２０のＤ−Ｄ線における断面図を図２１に、図２０のＥ−Ｅ線における断面図を図２２に、図２０のＦ−Ｆ線における断面図を図２３に示す。
【００３５】
本体装置２は、薬包ケース１を収納する収納部３０を有し、この収納部３０の底部には、９つの凸部Ｔ１〜Ｔ９が形成され、この凸部Ｔ１〜Ｔ９に薬包センサとして７つのセンサ部Ｓ１〜Ｓ７が配置されている。センサ部Ｓ１〜Ｓ７は、それぞれが発光ダイオードＬとフォトダイオードＤからなるフォトカプラを使用している。各凸部Ｔ１〜Ｔ９間の間隔は一定である。
【００３６】
凸部Ｔ１〜Ｔ５と凸部Ｔ６〜Ｔ９は、薬包ケース１の各ブロック１２（ａ〜ｇ）に対応して前記奥行き方向にずれている。薬包ケース１を本体装置２の収納部３０に収納した状態では、薬包ケース１の各支持片１６がそれぞれセンサ部Ｓ１〜Ｓ７（凸部Ｔ１〜Ｔ９の各間隙）に位置し、この支持片１６を含む薬包ケース１の底面（ブロック１２の底面）上に薬包が乗る（図２４参照）。
【００３７】
図２４に一部のみ示すが、凸部Ｔ１にはセンサ部Ｓ１の発光ダイオードＬ１のみが配置され、凸部Ｔ２にはセンサ部Ｓ１のフォトダイオードＤ１とセンサ部Ｓ３の発光ダイオードＬ３が配置され、凸部Ｔ３にはセンサ部Ｓ３のフォトダイオードＤ３とセンサ部Ｓ５の発光ダイオードＬ５が配置され、凸部Ｔ４にはセンサ部Ｓ５のフォトダイオードＤ５とセンサ部Ｓ７の発光ダイオードＬ７が配置され、凸部Ｔ５にはセンサ部Ｓ７のフォトダイオードＤ７のみが配置されている。
【００３８】
また、凸部Ｔ６にはセンサ部Ｓ２の発光ダイオードＬ２のみが配置され、凸部Ｔ７にはセンサ部Ｓ２のフォトダイオードＤ２とセンサ部Ｓ４の発光ダイオードＬ４が配置され、凸部Ｔ８にはセンサ部Ｓ４のフォトダイオードＤ４とセンサ部Ｓ６の発光ダイオードＬ６が配置され、凸部Ｔ９にはセンサ部Ｓ６のフォトダイオードＤ６のみが配置されている。なお、発光ダイオードとフォトダイオードを設ける位置は反対でもよい。
【００３９】
収納部３０に薬包ケース１を収納した場合、各一対の発光ダイオード−フォトダイオード（フォトカプラ）Ｌ１−Ｄ１，Ｌ２−Ｄ２，・・・，Ｌ７−Ｄ７は、薬包ケース１のブロック１２に薬包が無いときは、それぞれブロック１２の対向壁１３の開口１５を通じて対面し、薬包が有るときは、薬包により遮られる。すなわち、フォトダイオードは、ブロック１２に薬包が無いときは発光ダイオードからの光を受光し、薬包が有るときは薬包による遮光で受光しない。このＬ１−Ｄ１，Ｌ２−Ｄ２，・・・，Ｌ７−Ｄ７からの検知信号により、各ブロック１２における薬包の有無を検出することができる。
【００４０】
また、収納部３０にはスイッチレバー３５が常態で壁面から突出するように揺動可能に取り付けられ、このスイッチレバー３５に連動してＯＮ／ＯＦＦされるマイクロスイッチ３６が本体装置２内に設けられている（図２３）。ここでは、スイッチレバー３５とマイクロスイッチ３６で薬包ケースセンサが構成される。
【００４１】
この薬包ケースセンサによると、収納部３０に薬包ケース１が収納されていないときは、スイッチレバー３５が収納部３０の壁面から突出し、マイクロスイッチ３６がＯＮになり、収納部３０に薬包ケース１が収納されると、薬包ケース１によりスイッチレバー３５が押され、マイクロスイッチ３６がＯＦＦになる。これにより、収納部３０における薬包ケース１の有無を検出することができる。
【００４２】
但し、マイクロスイッチ３６のＯＮ／ＯＦＦが反対になるように構成してもよい。つまり、収納部３０に薬包ケース１が収納されていないときに、マイクロスイッチ３６がＯＦＦになり、収納されたときにＯＮになるようにしてもよい。
【００４３】
更に、図面には示されていないが、本体装置２には薬包ケース１のカバー１０の開閉を検知するカバー開閉センサが設けられている。このカバー開閉センサの検知信号に基づいて、薬包ケース１のカバー１０を使用者のみならず誰かが開けたかどうかを簡単に管理できる。
【００４４】
本体装置２内部には、センサ部Ｓ１〜Ｓ７の発光ダイオードＬ１〜Ｌ７及びフォトダイオードＤ１〜Ｄ７、マイクロスイッチ３６、カバー開閉センサ、その他の電子部品４１の他に、表示部３、ボタン４、スピーカ９、電池等が電気的に接続された回路基板４０が配置されている。この回路基板４０には、服薬指示時間を含む服薬関連情報等を記憶するメモリ（図示せず）も搭載されている。
【００４５】
このように構成した服薬用管理装置では、本体装置２の収納部３０に薬包ケース１を収納すると、前記のように薬包ケース１でスイッチレバー３５が押され、マイクロスイッチ３６がＯＦＦになり、収納部３０に薬包ケース１が有ることが検出される。収納部３０から薬包ケース１を取り外すと、スイッチレバー３５が元の位置に復帰し、マイクロスイッチ３６がＯＮになり、収納部３０に薬包ケース１が無いことが検出される。また、収納部３０に薬包ケース１を収納しておくときは、本体装置２のツバ受容部３２に位置する薬包ケース１のツバ２１をスライドツマミ６により固定し、薬包ケース１が収納部３０から容易に外れないようにしておく。
【００４６】
一方、図２４に要部拡大断面図で示すように、各ブロック１２（ａ〜ｇ）に薬包５１〜５７を入れた薬包ケース１を本体装置２の収納部３０に収納すると、本体装置２のセンサ部Ｓ１〜Ｓ７（凸部Ｔ１〜Ｔ９の各間隙）に薬包ケース１の各ブロック１２（ａ〜ｇ）が対応し、センサ部Ｓ１〜Ｓ７に薬包５１〜５７と支持片１６が位置する。勿論、前記したように、各一対の発光ダイオード−フォトダイオードＬ１−Ｄ１，Ｌ２−Ｄ２，・・・，Ｌ７−Ｄ７は、各ブロック１２の開口１５を通じて対向する。
【００４７】
図２４では、ブロック１２ａに薬包５１が有るので、センサ部Ｓ１の発光ダイオードＬ１からの光は薬包５１により遮られ、フォトダイオードＤ１はその光を受光せず、このＬ１−Ｄ１からの検知信号に基づいて、ブロック１２ａには薬包５１が存在することが検出される。ブロック１２ｃについても同様である。これに対して、例えばブロック１２ａに薬包５１が無いときは、フォトダイオードＤ１は発光ダイオードＬ１からの光を受光するので、Ｌ１−Ｄ１からの検知信号により、ブロック１２ａには薬包が無いことが検出される。
【００４８】
この服薬用管理装置によると、薬包を入れる薬包ケース１が本体装置２に対して着脱可能であるため、医者等の指示で使用者に薬を手渡す場合、使用者は本体装置２から取り外した薬包ケース１だけを病院まで持参すればよく、薬包ケース１を含む本体装置２を持参する場合に比べて、使用者に煩瑣な手間を強いることなく使用者と病院（医者）との間で薬の授受を行うことができる。しかも、薬包センサ（センサ部Ｓ１〜Ｓ７）や薬包ケースセンサ（スイッチレバー３５及びマイクロスイッチ３６）等の管理機能部を備える本体装置２は持ち運ぶ必要がないので、電子回路等を内蔵する本体装置２の安定動作が保証される。
【００４９】
また、薬包ケース１においては、各ブロック１２（ａ〜ｇ）がそれぞれ本体装置２の奥行き方向に直交する姿勢で、その奥行き方向に並設されているので、人間工学の見地から、各ブロック１２に収納した薬包を視認し易く、また各ブロック１２に薬包を入れ易く、各ブロック１２から薬包を取り出し易い。
【００５０】
更に、各ブロック１２（ａ〜ｇ）は上記直交方向に交互に位置をずらして配列されているので、各ブロック１２に対するセンサ部Ｓ１〜Ｓ７の設置スペースが少なくて済み、それだけ薬包ケース１だけでなく、薬包ケース１を含む本体装置２全体を小型化することができる。その上、各ブロック１２が直交方向に交互に並ぶ方が、必要とする薬包の位置が分かり易く、薬包をより一層取り出し易くなる。
【００５１】
上記実施形態では、薬包センサとしてのセンサ部Ｓ１〜Ｓ７は、発光ダイオードとフォトダイオードを対向配置する透過形であるが、両者を同じ側に配置する反射形でもよい。この場合、光検出の態様に応じて薬包は光反射性でも光吸収性でもよい。光反射性の薬包の場合、薬包が有るときに薬包からの反射光がフォトダイオードで受光されるようにし、光吸収性の薬包の場合、薬包が無いときに発光ダイオードからの光が反対側（対向壁）で反射されてフォトダイオードで受光されるようにする。
【００５２】
また、特に薬包を個々に特定・監視必要がなければ複数の薬包を１つのセンサで検出してもよい。例えば透過型のセンサを用いる場合、薬包の数が多ければ多いほど透過光は少なくなることを用いて検出することが出来る。
次に、上記服薬用管理装置の構成例のブロック図を図２５に示す。この服薬用管理装置は、管理処理の全体を制御するＣＰＵ１０１と、前記ボタン４を備える操作入力部１０２と、現在時刻、服用報知時刻、その他種々の設定値を記録する設定記録部１０３と、現在時刻、服用指示、その他の指示を表示する表示部１０４（前記表示部３）と、服用指示、その他の指示、報知を音声で出力する音声出力部１０５（前記スピーカ９）と、時刻を計時する時計部１０６と、ＳＤカード１１２（前記ＳＤカード４５）の装着を受ける記録媒体装着部１０７（前記スロット５）と、薬包ケース１が本体装置２に収納されたことを検知する薬ケース検知部１０８（前記スイッチレバー３５及びマイクロスイッチ３６）と、薬包ケース１のカバー１０の開閉を検知するケース蓋開閉検知部１０９（前記カバー開閉センサ）と、薬包ケース１の各ブロック１２内の薬包の有無を検知する薬包検知部１１０（前記センサ部Ｓ１〜Ｓ７）と、回路各部に電源電圧ＶＢを供給する電源部１１１とを備えている。
【００５３】
ＳＤカード１１２は、医者から服用者に薬を提供するときに、服薬指示時刻、本体装置ＩＤを記憶している。また、ＳＤカード１１２は、実際の服用時刻、その他の管理情報を記憶する領域を備えている。薬包検知部１１０は、図２６に示すように、各ブロック１２ａ〜１２ｇに、発光ダイオードＬ１〜Ｌ７とフォトダイオードＤ１〜Ｄ７からなるフォトカプラが設けられている。
【００５４】
次に、図２７〜図３０に示すフロー図を参照して、この服薬用管理装置の管理処理動作を説明する。処理が開始されると、まずステップＳＴ１において、服薬時刻が到来したか否かを判定する。服薬時刻が到来していないと、ステップＳＴ２２へ移行する。一方服薬時刻が到来すると、ステップＳＴ２へ移行する。ステップＳＴ２〜ＳＴ２０までの処理で、服薬時刻到来時の管理が実行される。
【００５５】
ステップＳＴ２においては、表示部１０４に、「薬を一袋飲んでください」を表示し、音声出力部１０５より「お薬の時間です。薬を一袋取り出して下さい。」を音声出力する。次にステップＳＴ３へ移行する。ステップＳＴ３においては、１０秒間経過待ちし、ステップＳＴ４へ移行する。
【００５６】
ステップＳＴ４においては、薬（薬包）取り出し検出か否か判定する。服用者が薬を取り出し、薬包検知部１１０で検出されると、ステップＳＴ５へ移行する。一方、薬が取り出されていないと、ステップＳＴ１１へ移行する。ステップＳＴ１１においては、変数Ｎを１インクリメントし（最初Ｎ＝０）、次にステップＳＴ１２へ移行する。ステップＳＴ１２においては、Ｎ＝１０か否か判定する。最初はＮ＝１なので、判定「いいえ」でステップＳＴ２へ戻る。ステップＳＴ２においては、再度「服薬して下さい」の表示、及び音声出力を行う。
【００５７】
そして、服薬時刻になって、「服薬してください」の報知がなされてから、薬の取り出しがない場合、１０秒おきに「服薬をしてください」の報知を繰り返す。１０回の報知を繰り返しても、薬の取り出しがない場合、ステップＳＴ１２の判定が「はい」となり、ステップＳＴ１３へ移行する。ステップＳＴ１３においては、今回の服薬指示時刻に薬が取り出されなかったことを，ＳＤカード１１２に記憶する。そして、ステップＳＴ２に戻る。
【００５８】
ステップＳＴ５においては、取り出された薬包が一個か否かを判定する。一個取り出された場合は、ステップＳＴ６へ移行する。一方、一個ではなく複数個取り出された場合は、ステップＳＴ８へ移行する。ステップＳＴ６においては、表示部１０４と、音声出力部１０５で、薬取り出しの記録をする旨の表示、音声出力を行う。そしてステップＳＴ７へ移行する。ステップＳＴ７においては、一個の薬包の取り出しを、取り出し時刻と共に、ＳＤカード１１２に記録する。次に、ステップＳＴＳＴ７ａへ移行する。スッテプＳＴ７ａにおいては、薬包が残っているか否か判定する。残有りの場合は、ステップＳＴ１４へ移行する。一方、残無しの場合は、ステップＳＴ３７へ移行する。
【００５９】
ステップＳＴ８においては、余分に取り出した薬包の分だけ返却するように表示し、音声で警告する。そして、ステップＳＴ９へ移行する。ステップＳＴ９においては、薬包が返却されたか否か判定する。薬包返却の場合は、ステップＳＴ１０へ移行する。一方、薬包が返却されない場合は、ステップＳＴ９ａに移行する。ステップＳＴ９ａにおいては、「薬が２個以上取り出されたことを記録します」を、表示及び音声出力する。そしてステップＳＴ９ｂに移行する。ステップＳＴ９ｂにおいては、薬包が複数個取り出されたことを、ＳＤカード１１２に記憶する。次に、ステップＳＴ１へ戻る。
【００６０】
ステップＳＴ１０においては、戻された薬包が１個を除いて戻されたか、全て戻されたかを判定する。１個を除いて戻された場合はステップＳＴ６へ移行する。そしてステップＳＴ６において、薬取り出しの記録を行う旨の表示及び音声出力を行い、さらにステップＳＴ７において、薬包の１個の取り出しをＳＤカード１１２に記録する。次にステップＳＴ１４へ移行する。一方、ステップＳＴ１０において、取り出された薬包の全てが戻されたときは、ステップＳＴ２へ戻る。
【００６１】
ステップＳＴ１４においては、さらに薬取出しを検出したか否か判定する。薬取り出し検出の場合は、ステップＳＴ１５へ移行する。一方、薬取り出しが検出されないときは、ステップＳＴ１８へ移行する。ステップＳＴ１５においては、余分に取り出した分だけ薬包を返却するように、表示部１０４に表示し、音声出力部１０５より音声出力して警告する。次に、ステップＳＴ１６へ移行する。ステップＳＴ１６においては、薬包が返却されたか否か判定する。薬包が返却された場合はステップＳＴ１へ戻る。一方返却されないときは、戻されない分の薬が取り出されたと見做し、ステップＳＴ１７へ移行し、薬取り出しをＳＤカード１１２に記録する。そして、ステップＳＴ１７ａに移行する。スッテプＳＴ１７ａにおいては、薬包が残っているか否か判定する。残有りの場合は、ステップＳＴ１へ戻る。一方、残無しの場合は、ステップＳＴ３７へ移行する。
【００６２】
ステップＳＴ１８においては、薬包を追加したか否かを判定する。取り出した薬で戻さなくてもよい薬を戻すなどにより、薬包ケースに薬包を追加したときは、ステップＳＴ２１へ移行する。一方、薬包が追加されていない場合は、ステップＳＴ１９へ移行する。ステップＳＴ２１においては、薬包の場所番号を指定して薬包を取り出すように、表示部１０４に表示し、音声出力部１０５より音声出力し、警告する。そして、ステップＳＴ１へ戻る。
【００６３】
ステップＳＴ１９においては、薬包ケースのカバーが閉じられたか否かを判定する。カバーが閉じられた場合は、ステップＳＴ１へ戻る。一方、カバーが閉じられていないときは、ステップＳＴ２０へ移行する。ステップＳＴ２０においては、カバーを閉じるように、表示部１０４に表示し、音声出力部１０５により音声出力し、警告する。そしてステップＳＴ１４へ戻る。
【００６４】
次に、服薬時刻以外における処理を説明する。ステップＳＴ１において、現在時刻が服薬時刻でないと判定された場合、ステップＳＴ２２に移行し、表示部１０４に現在時刻を表示する。次にステップＳＴ２３へ移行する。ステップＳＴ２３においては、薬包ケースを取り外しか否かを判定する。薬包ケースが本体装置から取り外されていないときは、ステップＳＴ３２へ移行する。一方、薬包ケースが本体装置から取り外されていることが検出されると、ステップＳＴ２４へ移行する。
【００６５】
ステップＳＴ３２においては、薬包ケースのカバーを開けたか否かを判定する。カバーを開けていないときは、ステップＳＴ１に戻る。一方、カバーが開かれた場合は、ステップＳＴ３３へ移行する。ステップＳＴ３３においては、カバーを閉じて下さいを、表示部１０４に表示し、音声出力部１０５より音声出力する。続いて、ステップＳＴ３４へ移行する。ステップＳＴ３４においては、カバーが閉じたか否か判定する。閉じていない場合は、ステップＳＴ３３へ戻る。一方、カバーが閉じているときは、ステップＳＴ２６へ移行する。
【００６６】
ステップＳＴ２４においては、薬包ケースが取り外された状態なので、薬包ケースをセットして下さい、を表示部１０４に表示し、音声出力部１０５より音声出力する。次にステップＳＴ２５へ移行する。ステップＳＴ２５においては、薬包ケースがセットされたか否か判定する。薬包ケースがセットされていない場合は、ステップＳＴ２４に戻る。一方。薬包ケースがセットされている場合は、ステップＳＴ２６へ移行する。
【００６７】
ステップＳＴ２６においては、薬包数が変化したか否か判定する。薬包数に変化がない場合は、ステップＳＴ１へ戻る。一方、薬包数に変化有りの場合は、ステップＳＴ２７へ移行する。ステップＳＴ２７においては、薬包数が減少か否か判定する。薬包数が減少の場合は、ステップＳＴ２８へ移行する。一方、薬包数が減少でないとき(増加のとき)は、ステップＳＴ３１へ移行する。
【００６８】
ステップＳＴ２８においては、余分に取り出した薬包の分だけ返却するよう、表示部１０４に表示し、音声出力部１０５より音声出力し、警告する。続いてステップＳＴ２９へ移行する。ステップＳＴ２９においては、薬包が返却されたか否か判定する。返却されている場合は、ステップＳＴ１へ戻る。一方、薬包が返却されていない場合は、ステップＳＴ３０へ移行する。
【００６９】
ステップＳＴ３０においては、薬包を取り出したことを、時刻とともに，ＳＤカード１１２に記録する。そしてステップＳＴ３０ａへ移行する。スッテプＳＴ３０ａにおいては、薬包が残っているか否か判定する。残有りの場合は、ステップＳＴ１へ戻る。一方、残無しの場合は、ステップＳＴ３７へ移行する。
【００７０】
ステップＳＴ３１においては、薬包の場所番号を指定して、取り出すように、表示部１０４に表示し、音声出力部１０５により音声出力する。そして、ステップＳＴ１に戻る。
【００７１】
ステップＳＴ３７においては、「次のケースをセットして下さい」など薬包ケースを交換するよう表示・音声で案内を行う。次にステップＳＴ３８へ移行する。ステップＳＴ３８においては、薬包ケースが交換されたか否かを判定する。交換されたことが確認されるとステップＳＴ１に戻る。一方、まだ交換されていない場合は、ステップＳＴ３７にもどり、薬包ケースを交換するよう表示・音声で案内を再度行う。
【図面の簡単な説明】
【００７２】
【図１】実施形態に係る服薬用管理装置の外観斜視図である。
【図２】同服薬用管理装置の平面図（上面図）である。
【図３】同服薬用管理装置の正面図である。
【図４】同服薬用管理装置の右側面図である。
【図５】同服薬用管理装置の左側面図である。
【図６】同服薬用管理装置の背面図である。
【図７】同服薬用管理装置の底面図である。
【図８】同服薬用管理装置の薬包ケースのカバーを開けた状態の外観斜視図である。
【図９】同服薬用管理装置の薬包ケースのカバーを開けた状態の平面図（上面図）である。
【図１０】同服薬用管理装置における薬包ケースの表側から見た外観斜視図である。
【図１１】同服薬用管理装置における薬包ケースの裏側から見た外観斜視図である。
【図１２】同服薬用管理装置における薬包ケースの平面図（上面図）（ａ）、及び（ａ）の矢視Ａから見た薬包ケースの図（正面図）（ｂ）である。
【図１３】図１２の（ａ）の矢視Ｂから見た薬包ケースの図（背面図）（ａ）、及び図１２の（ａ）の矢視Ｃから見た薬包ケースの図（左側面図）（ｂ）である。
【図１４】同服薬用管理装置における薬包ケースの底面図である。
【図１５】同服薬用管理装置における薬包ケースのカバーを開けた状態の外観斜視図である。
【図１６】同服薬用管理装置における薬包ケースのカバーを開けた状態の平面図（上面図）である。
【図１７】同服薬用管理装置における薬包ケースのカバーを開けた状態の底面図である。
【図１８】同服薬用管理装置における本体装置の外観斜視図である。
【図１９】同服薬用管理装置における本体装置の平面図（上面図）である。
【図２０】同服薬用管理装置における本体装置の平面図（上面図）（図１９よりも簡略化した図）である。
【図２１】図２０のＤ−Ｄ線における本体装置の断面図である。
【図２２】図２０のＥ−Ｅ線における本体装置の断面図である。
【図２３】図２０のＦ−Ｆ線における本体装置の断面図である。
【図２４】同服薬用管理装置の要部拡大断面図である。
【図２５】同服薬用管理装置の構成例のブロック図である。
【図２６】図２５のブロック図における薬包検知部の概略構成を示す図である。
【図２７】同服薬用管理装置の管理処理動作を説明するフロー図である。
【図２８】図２７と共に同服薬用管理装置の管理処理動作を説明するフロー図である。
【図２９】図２７、図２８のフロー図と共に同服薬用管理装置の管理処理動作を説明するフロー図である。
【図３０】図２７、図２８及び図２９のフロー図と共に同服薬用管理装置の管理処理動作を説明するフロー図である。
【符号の説明】
【００７３】
１                薬包ケース
２                本体装置
５                スロット（記憶媒体装着部）
９                スピーカ（報知手段）
１０              カバー
１２（ａ〜ｇ）    ブロック
１３              壁
１５              開口
１６              支持片
１７              切欠き部
３０              収納部
３５              スイッチレバー（薬包ケースセンサ）
３６              マイクロスイッチ（薬包ケースセンサ）
４５              ＳＤカード（記憶媒体）
５１〜５７        薬包
Ｓ１〜Ｓ７        センサ部（薬包センサ）
Ｌ１〜Ｌ７        発光ダイオード
Ｄ１〜Ｄ７        フォトダイオード
Ｔ１〜Ｔ９        凸部
【図１】
2006230850.tif 000003
【図２】
2006230850.tif 000004
【図３】
2006230850.tif 000005
【図４】
2006230850.tif 000006
【図５】
2006230850.tif 000007
【図６】
2006230850.tif 000008
【図７】
2006230850.tif 000009
【図８】
2006230850.tif 000010
【図９】
2006230850.tif 000011
【図１０】
2006230850.tif 000012
【図１１】
2006230850.tif 000013
【図１２】
2006230850.tif 000014
【図１３】
2006230850.tif 000015
【図１４】
2006230850.tif 000016
【図１５】
2006230850.tif 000017
【図１６】
2006230850.tif 000018
【図１７】
2006230850.tif 000019
【図１８】
2006230850.tif 000020
【図１９】
2006230850.tif 000021
【図２０】
2006230850.tif 000022
【図２１】
2006230850.tif 000023
【図２２】
2006230850.tif 000024
【図２３】
2006230850.tif 000025
【図２４】
2006230850.tif 000026
【図２５】
2006230850.tif 000027
【図２６】
2006230850.tif 000028
【図２７】
2006230850.tif 000029
【図２８】
2006230850.tif 000030
【図２９】
2006230850.tif 000031
【図３０】
2006230850.tif 000032